(57)【要約】【課題】雨漏り時、仮養生を少人数で行いかつ作業の効率化を図る。【解決手段】滴下液受け装置２は、鉛直軸を囲繞するように設けられ、前記鉛直軸に対して接離する方向に拡縮可能な枠体１０と、この枠体１０の上部に取り付けられ、構造物の天井４から受けた滴下液Ｗを排出するための排水口１２が形成されたシート１１と、前記排出口１２に接続されて下方に延び、前記シート１１が受けた滴下液Ｗを外部に導く袖状シート１３とを備えている。枠体１０は、長さ寸法を調整可能な縦枠１４Ａ〜１４Ｄと、これら縦枠１４Ａ〜１４Ｄ間の間隔を調整可能に連結される拡縮アーム１５とを備えて構成される。縦枠１４Ａ〜１４Ｄの下端には、高さを調整するアジャスタ機構２０が設けられる。シート１１は、漏斗状に形成され、上部には枠体１０に係止される金具４０が設けられる。【選択図】図２
2019203283.tif 000002
【特許請求の範囲】
【請求項１】
鉛直軸を囲繞するように設けられ、前記鉛直軸に対して接離する方向に拡縮可能な支持体と、
前記支持体の上部に取り付けられ、構造物の天井からの滴下液を排出するための排水口が形成されたシートと、
前記排出口に接続されて下方に延び、前記シートが受けた滴下液を外部に導く案内管とを備えたことを特徴とする滴下液受け装置。
【請求項２】
前記支持体は、上下方向に伸縮可能な枠体を備えることを特徴とする請求項１に記載の滴下液受け装置。
【請求項３】
前記枠体は、長さ寸法を調整可能な少なくとも３以上の縦枠と、両端がこれら縦枠間の間隔を調整可能に連結される拡縮アームとを備えたことを特徴とする請求項２に記載の滴下液受け装置。
【請求項４】
前記縦枠の下端には、高さを調整可能なアジャスタが設けられ、前記縦枠の上端には、前記構造物の天井に当接される当て材が設けられることを特徴とする請求項３に記載の滴下液受け装置。
【請求項５】
前記シートの上部には、前記当て材と前記縦枠との間に係止される環状の金具が設けられ、
前記案内管は、柔軟性を有する袖状シートにより構成されることを特徴とする請求項４に記載の滴下液受け装置。
【請求項６】
前記支持体には、内部を覆う覆い材が取り付けられることを特徴とする請求項１ないし５のうちいずれか１に記載の滴下液受け装置。
【発明の詳細な説明】
【技術分野】
【０００１】
本発明は、構造物の天井から雨漏りの等の滴下水を受ける滴下液受け装置に関するものである。
【背景技術】
【０００２】
一般に、駅舎の通路やロビー等、通行場所の一部で雨漏りなどが発生した場合、管理者側は、雨漏り発生の連絡を受けると、応急措置として仮養生を設置し、修繕箇所の保護を図る。仮養生では、まず、養生材料の準備を行う。養生材料は、例えば、脚立、養生シート、ホース、バケツ、接着テープ、吸水マット、雑巾、カラーコーン（登録商標）等であり、修繕作業員は、これら養生材料を持って、現場に向かう。現場における仮養生の設置は、複数の作業員により、ほぼ、以下の手順で行われる。ａ．濡れた床を雑巾で拭き、ｂ．脚立を組み立て、ｃ．養生シートを雨受けシートとして天井の雨漏り部に当て、ｄ．この雨受けシートを養生テープで天井に固定し、ｅ．雨受けシートの下部をホースと接続し、ホースを柱や壁に沿わせて養生テープで固定し、ｆ．ホースの下端をバケツ内に導いて漏水を受け、ｇ．周辺にカラーコーン（登録商標）を置いて、通行人に立ち入り制限を知らせ、ｈ．それから、雨漏りの原因を特定する。
【０００３】
しかしながら、このような仮養生の設置では、作業に取りかかる前に多数の養生材料を作業現場に運び込む必要があり、作業開始に手間取るという問題がある。また、作業員により作業技術に差があると、作業に手間取るという問題がある。このため、従来、天井から漏水する滴下液受け装置として、シートの中心に穴を形成し、この穴に、上下貫通孔の形成されたＴ字状シート取付具を接着し、この取付具の下側筒部にホースを接続する集液装置が提案されている。この集液装置は、取付紐の一端をシートに接続し、他端を天井に固定し、シートを雨漏り部位の下側に配して吊持するようになっている（例えば、特許文献１参照）。
【先行技術文献】
【特許文献】
【０００４】
【特許文献１】特開２０１３−１１７０９１号公報
【発明の概要】
【発明が解決しようとする課題】
【０００５】
しかしながら、上記従来の集液装置では、脚立による高所作業が避けられず、安全を確保するためには、高所作業の作業員を２人以上確保することが望ましく、通行場所では、作業時、通行人を誘導する誘導員も必要となる。このため、作業人員の確保に難渋するという問題がある。また、設置するまでに時間がかかるという問題がある。
【０００６】
本発明は上記課題を解決するためになされたもので、簡素な構成で高所作業を行うことなく、容易に雨漏りに対応することができ、しかも、作業員の人数を減じることができる滴下液受け装置を提供することを目的とする。
【課題を解決するための手段】
【０００７】
本発明に係る滴下液受け装置は、鉛直軸を囲繞するように設けられ、前記鉛直軸に対して接離する方向に拡縮可能な支持体と、前記支持体の上部に取り付けられ、構造物の天井からの滴下液を排出するための排水口が形成されたシートと、前記排出口に接続されて下方に延び、前記シートが受けた滴下液を外部に導く案内管とを備えたことを特徴とするものである。
【０００８】
本発明に係る滴下液受け装置では、鉛直軸を囲繞するように設けられ、前記鉛直軸に対して接離する方向に拡縮可能な支持体と、前記支持体の上部に取り付けられ、構造物の天井からの滴下液を排出するための排水口が形成されたシートと、前記排出口に接続されて下方に延び、前記シートが受けた滴下液を外部に導く案内管とを備えたので、作業員が、構造物の雨漏り箇所の下方に、滴下液受け装置を持ち込んで、支持体を拡張させて支持体上部にシートを取り付け、案内管の下端を外部に導いて滴下液受け装置をセットすると、雨漏りの滴下液は、シートに落下し、案内管を通じて外部に排出される。作業員は、滴下液受け装置を現場に持ち運んでセットするまでの一連の作業だけで、雨漏りへの対応作業を完了することができる。このため、作業が迅速化され、作業人員の減員化が図られる。
【０００９】
また、上記発明に係る滴下液受け装置は、前記支持体は、上下方向に伸縮可能な枠体を備えることが好ましい。係る構成とすることにより、少人数で持ち運ぶことができ、しかも、作業員は、床で支持体を拡張して上方に延ばすことができ、高所で作業する必要がない。さらに、前記枠体は、長さ寸法を調整可能な少なくとも３以上の縦枠と、両端がこれら縦枠間の間隔を調整可能に連結される拡縮アームとを備えることが好ましい。係る構成とすることにより、床で縦枠を短寸状態で拡張させて自立させ、シートを縦枠上部に取り付け、縦枠を所望の高さに延長することができ、作業を効率化することができる。また、前記縦枠の下端には、高さを調整可能なアジャスタが設けられ、前記縦枠の上端には、前記構造物の天井に当接される当て材が設けられることが好ましい。係る構成とすることにより、床に不陸があったり、階段等の段差があっても、調整して直立させ確実に固定することができる。さらに、前記シートの上部には、前記当て材と前記縦枠との間に係止される環状の金具が設けられ、前記案内管は、柔軟性を有する袖状シートにより構成されることが好ましい。係る構成とすることにより、シートを容易に縦枠に取り付けることができ、排出側の場所に応じて袖状シートを自在に引き回すことができる。また、前記支持体には、内部を覆う覆い材が取り付けられることが好ましい。係る構成とすることにより、縦枠内部を隠すことができ、美観を損なうことがない。
【発明の効果】
【００１０】
本発明に係る滴下液受け装置は、鉛直軸を囲繞するように設けられ、前記鉛直軸に対して接離する方向に拡縮可能な支持体と、前記支持体の上部に取り付けられ、構造物の天井から受けた滴下液を排出するための排水口が形成されたシートと、前記排出口に接続されて下方に延び、前記シートが受けた滴下液を外部に導く案内管とを備えたので、作業を迅速化することができ、しかも、作業人員の減員化を図ることができる。
【図面の簡単な説明】
【００１１】
【図１】図１は、本発明の一実施形態に係る滴下液受け装置を構造物の床と天井との間に設置した状態を示す説明図である。
【図２】図２の（Ａ）、（Ｂ）、（Ｃ）はそれぞれ、図１の滴下液受け装置の枠体を示す斜視図、その枠体にシートと幕を取り付けた状態を示す斜視図およびシートの一部破断斜視図である。
【図３】図３の（Ａ）、（Ｂ）はそれぞれ、図１の滴下液受け装置の枠体を床と天井に固定させた状態を示す正面図およびその枠体に幕を取り付けた状態を示す正面図である。
【図４】図４の（Ａ）、（Ｂ）はそれぞれ、図１の滴下液受け装置の縦枠上端に設けられた圧接部材および縦枠下端に設けられた不陸調整用脚を示す説明図、図３の（Ｃ）は、図１の滴下液受け装置の縦枠にシートを取り付けた状態を示す説明図である。
【図５】図５は、図１の滴下液受け装置の折り畳んだ状態を示す説明図である。
【発明を実施するための形態】
【００１２】
以下、図面に示す一実施形態により本発明を説明する。本発明の一実施形態に係る滴下液受け装置２は、例えば、図１に示すように、駅舎のプラットホームやロビー等の構造物３の天井（屋根）４から漏水のある箇所Ｗに運ばれて、天井４と床５の間に設置される。滴下液受け装置２は、図２の（Ａ）、（Ｂ）および図３の（Ａ）、（Ｂ）に示すように、鉛直軸を囲繞するように設けられ、前記鉛直軸に対して接離する方向に拡縮可能な枠体（支持体）１０と、漏斗状に形成され、上部の拡開部１１Ｌが枠体１０の開放側１０Ａに着脱自在に取り付けられ、上方から受けた滴下液（漏水）を排出するための排出口１２が形成された柔軟性を有する非透水性の合成樹脂製の漏水受け用シート１１と、上端が排出口１２に接着され、シート１１の上面で受け入れた滴下液を下端開口１３Ａから排水側に導く柔軟性を有する非透水性の合成樹脂製袖状シート（案内管）１３とを備えて構成される。枠体１０は、上端が開放され、下端が接地するようになっている。
【００１３】
枠体１０は、上下方向に伸縮可能かつ横方向に拡縮可能に構成され、持ち運びできるようになっている。すなわち、枠体１０は、長さ寸法を調整可能な４本の縦枠１４（１４Ａ〜１４Ｄ）と、両端がこれら縦枠１４Ａ〜１４Ｄのうち、左右の隣り合う縦枠同士１４Ａ−１４Ｂ、１４Ａ−１４Ｃ、１４Ｂ−１４Ｄ、１４Ｃ−１４Ｄ間に鋏動可能に連結され、中央に枢支部１６を有するＸ字状拡縮アーム１５（１５Ａ〜１５Ｄ）とを備えて構成される。
【００１４】
縦枠１４は、アルミ製の角筒状部材から構成され、下端が開口する角筒状上筒部１７と、この上筒部１７の下端開口部１７Ａから内部に出没自在に収容され下端が開口される角筒状下筒部１８と、この下筒部１８の下端開口部１８Ａから内部に出没自在に収容される角筒状脚（脚）１９とを備えている。下筒部１８は、上筒部１７から下方へ所定間隔毎（本実施例では５０ｍｍ毎）の突出位置で、脚１９は、下筒部１８から下方へ所定間隔毎（本実施例では５０ｍｍ毎）の突出位置で、それぞれ図示しないロックピンによりロックされるようになっている。本実施形態では、上筒部１７、下筒部１８および脚１９の長さ寸法をそれぞれ１，５００ｍｍ、１３００ｍｍ、１２００ｍｍとしている。
【００１５】
拡縮アーム１５（１５Ａ〜１５Ｄ）は、下端が上筒部１７の下端外周に固定された角筒状支持部材２５に揺動可能に連結され、上端が上筒部１７に摺動自在に嵌合されたスライダ２６に揺動可能に連結される。スライダ２６には、ロック用孔２７が、上筒部１７には、上下に所定間隔でロック用孔２８がそれぞれ穿設され、スライダ２６はこれらロック用孔２７、２８が合致する所望の位置で図示しないピンによりロックされるようになっている。本実施形態では、拡縮アーム１５を最大に広げた状態で、縦枠１４間の距離を５００ｍｍとしており、縦枠１４間の距離を狭める際には、拡縮アーム１５を鋏動させて間隔を決めた後、図示しないピンでスライダ２６をロックし、拡縮アーム１５の動きを阻止するようにしている。なお、本実施形態では、拡縮アーム１５をＸ字状に形成し、交差部位に枢支部１６を設けているが、これに限られるものではなくＶ字状に形成して中央に枢支部を設けた拡縮アームを上下に設けるようにしてもよい。
【００１６】
脚１９は、図４の（Ｂ）に示すように、下端にアジャスタ機構（アジャスタ）２０を備え、高さを調整できるようになっている。アジャスタ機構２０は、脚１９の下端に固設されたフランジナット２１と、このフランジナット２１に下方から螺合される六角頭ボルト２２と、この六角頭ボルト２２の下面に接合された接地台座２３とを備えて構成される。アジャスタ機構２０は、六角頭ボルト２２の回動操作により脚１９下端から接地台座２３までの長さを調整し、床５の不陸または階段の段差に対応させて、縦枠１４を直立させるとともに、後述する当て台座３１を天井４に圧接させるようになっている。本実施形態では、アジャスタ機構２０の六角頭ボルト２２は、０〜２００ｍｍの範囲で高さを調整することができるようになっている。
【００１７】
縦枠１４の上端には、図４の（Ａ）に示すように、当て材３０が設けられる。当て材３０は、上側に天井４に当接可能な当て台座３１と、この当て台座３１の下側に接合された六角頭ボルト３２とを備えて構成され、六角頭ボルト３２のねじ部３３は、上筒部１７の上端開口部に接合され内部がねじ切りされたプレート３４に螺入されるようになっている。
【００１８】
縦枠１４は、漏水現場で拡開してセットする際、上下方向の寸法Ｌ１を、床５から天井４までの高さＨ（本実施形態では、Ｈ＝４０００ｍｍ）に対して若干短くし、天井４と当て材３０の当て台座３１との間に隙間ができるようにして立ち上げられる。そして、アジャスタ機構２０の六角頭ボルト２２を回動操作させて、当て台座３１を天井４に圧接させると、縦枠１４は、床５と天井４との間で固定されるようになっている。縦枠１４の上下方向寸法Ｌ１は、当て材３０の高さｈ１（所定値）＋上筒部１７の長さＬａ（１５００ｍｍ）＋下筒部１８の突出長さＬｂ（０≦Ｌｂ≦１３００ｍｍ）＋脚１９の突出長さＬｃ（０≦Ｌｃ≦１２００ｍｍ）＋アジャスタ機構２０の非突出時の高さｈ２（所定値）＋アジャスタ機構２０の突出量ｈ３（０≦ｈ３≦２００ｍｍ）により決定される（Ｈ＞（ｈ１＋Ｌａ＋Ｌｂ＋ｈ２）、Ｈ＝ｈ１＋Ｌａ＋Ｌｂ＋ｈ２＋ｈ３）。
【００１９】
漏斗状のシート１１は、図２の（Ｃ）、図４の（Ｃ）に示すように、上辺が各縦枠１４間の寸法（５００ｍｍ）に合致してほぼ正方形状に形成される。拡開部１１Ｌの角部１１Ａ〜１１Ｄには、環状の鳩目金具４０が設けられる。鳩目金具４０は、縦枠１４の開放側１０Ａに取り付けられるようになっている。つまり、当て材３０の六角頭ボルト３２をねじ切りプレート３４に螺入する前に、まず、六角頭ボルト３２に鳩目金具３４を嵌めて、保持ナット３５を螺入し、六角頭ボルト３２の頭部と保持ナット３５との間で鳩目金具４０を保持するようになっている。当て材３０は、鳩目金具４０を保持した状態で、六角頭ボルト３２をねじ切りプレート３１に螺入して上筒部１７の頂部に取り付けられる。
【００２０】
枠体１０の内部には、漏水現場で縦枠１４（１４Ａ〜１４Ｄ）が拡開されてシート１１がセットされると、袖状シート１３の下方にバケツ４１（集液容器）が配置される。バケツ４１には、天井４からの漏水がシート１１で集められると、袖状シート１３を介して導かれるようになっている。そして、縦枠１４Ａ〜１４Ｄには、図１、図２の（Ｂ）および図３の（Ｂ）に示すように、内部を覆う幕（覆い材）４２が予め取り付けられるようになっている。この幕４２は、上下に分割された２枚の幕４２Ａ、４２Ｂからなっており、外面には、工事中を示す表示４３が描かれている。これら２枚の幕４２Ａ、４２Ｂは、図５に示すように、作業完了後、縦枠１４Ａ〜１４Ｄの拡縮アーム１５を畳み、下筒部１８と脚１９を縮退させた際、折り畳まれるようになっている。
【００２１】
次に、上記一実施形態に係る滴下液受け装置２の作用について滴下液受け装置２の動作に基づいて説明する。まず、滴下液受け装置２の使用前には、縦枠１４は、図５に示すように、下筒部１８と脚１９がそれぞれ上筒部１７と下筒部１８とに収納されて図示しないロックピンでロックされる。また、縦枠１４Ａ〜１４Ｄは、拡縮アーム１５が折り畳まれ、間隔を狭めた状態で管理場所に納められる。使用時には、その状態で漏水現場に持ち運ばれる。縦枠１４Ａ〜１４Ｄは、短寸時の寸法が１５００ｍｍとなっており、少人数で持ち運びすることができる。
【００２２】
漏水現場に持ち込まれた滴下液受け装置２は、まず、短寸状態の枠体１０を、各縦枠１４Ａ〜１４Ｄを所望の空間の広さに開いて、拡縮アーム１５をロックし、上端の開放側１０Ａを漏水エリアＷの下方に配置する。このとき、シート１１も縦枠１４Ａ〜１４Ｄの拡開に伴って開かれる。次に、天井４までの高さＨを考慮し、この高さ寸法Ｈより若干短くなるよう、縦枠１４から下筒部１８と脚１９を順次引き出し、図示しないロックピンでロックする。このとき、折り畳まれた幕４２も、縦枠１４Ａ〜１４Ｄの伸張とともに、引き延ばされる。次に、アジャスタ機構２０の六角頭ボルト２２を回動操作して、当て台座３１を天井４に圧接させると、縦枠１４は床５と天井４との間で固定される。このとき、床５に不陸があったり、縦枠１４の一部が段差のある位置にあっても、アジャスタ機構２０を調整することにより、枠体１０は直立して確実に固定される。縦枠１４Ａ〜１４Ｄが固定されると、縦枠１４Ａ〜１４Ｄ内にバケツ４１をセットし、袖状シート１３の下端をバケツ４１に導いて、設置が完了する。このように、設置時、床５での作業で縦枠１４を天井４側まで高くすることができ、高所作業の必要がない。
【００２３】
漏水止め作業が終了すると、バケツ４１を縦枠１４Ａ〜１４Ｄ内から除き、設置時と逆の順序で、アジャスタ機構２０により当て台座３１を天井４から離して、下筒部１８と脚１９を縦枠１４に収納してロックし、拡縮アーム１５を折り畳んで縦枠１４の間隔を狭めた状態で拡縮アーム１５をロックする。こうして、再び、滴下液受け装置２が図５に示す状態にコンパクト化されると、漏水現場から元の収納場所に持ち運ばれる。このように、本実施形態に係る滴下液受け装置２では、少人数かつ短時間で、持ち運び、設置および回収を行うことができ、作業を効率化することができる。しかも、漏水エリアＷに応じて自在に漏水受け面積を変えることができ、しかも、アジャスタ機構２０を調整するだけで、床５と天井４との固定を解除することができるので、漏水場所の位置に変化があっても柔軟に対応することができる。
【００２４】
なお、上記実施形態では、幕４２を縦枠１４に予め取り付けるようにしているが、これに限られるものではなく、枠体１０と幕４２とを別にし、縦枠１４の組み立て時に幕を取り付け、縦枠１４の折り畳み時に幕を外すようにしてもよい。さらに、支持体を枠体から構成しているが、これに限られるものではなく、蛇腹状に折曲された合成樹脂製の一枚板または撓み性を有する一枚板と、縦枠１４とから構成し、拡張時、向かい合う両端または重なり合う部分を係止具により係止させて自立させるように構成し、板を、床と天井との間に直立して固定される縦枠１４と連結するようにしてもよい。また、上記実施形態では、枠体１０の縦枠１４を４本から構成しているが、これに限られるものではなく、３本としてもよいし、４本以上としてもよいことはいうまでもない。さらに、上記実施形態では、袖状シート１３の下端をバケツ４１に導くようにしているが、これに限られるものではなく、漏水現場に設置された滴下液受け装置２の近傍に排水溝があれば、袖状シートを延長して排出端を排水溝に導くようにしてもよい。
【符号の説明】
【００２５】
２  滴下液受け装置
１０  枠体（支持体）
１１  シート
１３  袖状シート（案内管）
Ｗ  滴下液
【図１】
2019203283.tif 000003
【図２】
2019203283.tif 000004
【図３】
2019203283.tif 000005
【図４】
2019203283.tif 000006
【図５】
2019203283.tif 000007